【手続補正書】
【提出日】平成26年3月14日(2014.3.14)
【手続補正１】
【補正対象書類名】特許請求の範囲
【補正対象項目名】請求項１
【補正方法】変更
【補正の内容】
【請求項１】
遊技者が操作可能であるとともに、コンピュータネットワークに接続可能とされた情報共有端末装置と、複数の前記情報共有端末装置と前記コンピュータネットワークを介して接続された情報配信装置と、から成る情報共有システムであって、
前記情報共有端末装置は、
投稿情報を入力するための入力手段と、
前記入力手段から入力された投稿情報に、少なくとも該投稿情報に係わる遊技機の機種または遊技場のいずれかを含む投稿属性を特定可能な投稿属性特定情報を付加する投稿属性特定情報付加手段と、
前記投稿属性特定情報が付加された投稿情報を前記情報配信装置に送信する投稿情報送信手段と、
少なくとも検索対象とする遊技機の機種または遊技場のいずれかを含む検索属性を特定可能な検索属性特定情報を含む情報配信要求を前記情報配信装置に送信する情報配信要求送信手段と、
を備え、
前記情報配信装置は、
前記投稿情報送信手段から送信されてきた前記投稿属性特定情報が付加された前記投稿情報を記憶する投稿情報記憶手段と、
前記情報配信要求の受信に応じて、前記投稿情報記憶手段に記憶されている投稿情報のうち、該受信した情報配信要求に含まれる検索属性特定情報から特定される検索属性に含まれる機種および／または遊技場を特定可能な投稿属性特定情報が付加されている投稿情報を抽出する投稿情報抽出手段と、
前記投稿情報抽出手段にて抽出した投稿情報を前記情報配信要求の送信元の情報共有端末装置に対して配信する投稿情報配信手段と、
を備え、
前記情報共有端末装置は、
前記投稿情報配信手段から配信された投稿情報を表示する表示手段を備える、
ことを特徴とする情報共有システム。
【手続補正２】
【補正対象書類名】特許請求の範囲
【補正対象項目名】請求項２
【補正方法】変更
【補正の内容】
【請求項２】
遊技者が操作可能であるとともに、コンピュータネットワークに接続可能とされた情報共有端末装置であって、
投稿情報を入力するための入力手段と、
前記入力手段から入力された投稿情報に、少なくとも該投稿情報に係わる遊技機の機種または遊技場のいずれかを含む投稿属性を特定可能な投稿属性特定情報を付加する投稿属性特定情報付加手段と、
複数の情報端末と前記コンピュータネットワークを介して接続された情報配信装置に対し、該情報配信装置に記憶するために、前記投稿属性特定情報が付加された投稿情報を送信する投稿情報送信手段と、
少なくとも遊技機の機種または遊技場のいずれかを含む検索属性を特定可能な検索属性特定情報を含む情報配信要求を前記情報配信装置に送信する情報配信要求送信手段と、
前記情報配信要求の受信に応じて、前記情報配信装置に記憶されている投稿情報から抽出されて該情報配信装置から送信される、該情報配信要求に含まれる検索属性特定情報から特定される検索属性に含まれる機種および／または遊技場を特定可能な投稿属性特定情報が付加されている投稿情報を受信する投稿情報受信手段と、
前記投稿情報受信手段にて受信した投稿情報を表示する表示手段と、
を備える、
ことを特徴とする情報共有端末装置。
【手続補正３】
【補正対象書類名】明細書
【補正対象項目名】０００６
【補正方法】変更
【補正の内容】
【０００６】
前記課題を解決するために、本発明の請求項１に記載の情報共有システムは、
遊技者（会員遊技者）が操作可能であるとともに、コンピュータネットワーク（インターネット）に接続可能とされた情報共有端末装置（カードユニット３、携帯電話端末５）と、複数の前記情報共有端末装置と前記コンピュータネットワークを介して接続された情報配信装置（情報共有サーバ１００）と、から成る情報共有システムであって、
前記情報共有端末装置は、
投稿情報（コメントデータ）を入力するための入力手段（ステップＳｋ１６、Ｓｄ１８のコメント入力処理を実施す部分）と、
前記入力手段から入力された投稿情報に、少なくとも該投稿情報に係わる遊技機（パチンコ遊技機１）の機種または遊技場のいずれかを含む投稿属性を特定可能な投稿属性特定情報（タグ情報）を付加する投稿属性特定情報付加手段（ステップＳｋ２２、Ｓｄ２４の投稿データ作成処理を実施する部分）と、
前記投稿属性特定情報が付加された投稿情報を前記情報配信装置に送信する投稿情報送信手段（ステップＳｋ２３、Ｓｄ２５の投稿要求送信処理を実施する部分）と、
少なくとも検索対象とする遊技機の機種または遊技場のいずれかを含む検索属性を特定可能な検索属性特定情報（タグ情報）を含む情報配信要求（投稿配信要求）を前記情報配信装置に送信する情報配信要求送信手段（ステップＳｋ４、Ｓｄ４を実施する部分）と、
を備え、
前記情報配信装置は、
前記投稿情報送信手段から送信されてきた前記投稿属性特定情報が付加された前記投稿情報（コメントデータを含む投稿データ）を記憶する投稿情報記憶手段（ステップＳｈ７を実施する部分）と、
前記情報配信要求の受信に応じて、前記投稿情報記憶手段に記憶されている投稿情報（投稿データ）のうち、該受信した情報配信要求に含まれる検索属性特定情報から特定される検索属性に含まれる機種および／または遊技場を特定可能な投稿属性特定情報が付加されている投稿情報を抽出する投稿情報抽出手段（ステップＳｈ２の投稿抽出処理を実施する部分）と、
前記投稿情報抽出手段にて抽出した投稿情報を前記情報配信要求の送信元の情報共有端末装置に対して配信する投稿情報配信手段（ステップＳｈ３の投稿配信処理を実施する部分）と、
を備え、
前記情報共有端末装置は、
前記投稿情報配信手段から配信された投稿情報を表示する表示手段（ステップＳｋ６、Ｓｄ６の配信投稿表示処理を実施する分部）を備える、
ことを特徴としている。
この特徴によれば、情報共有端末装置において入力された投稿情報は、該投稿情報に係わる投稿属性特定情報が付加されて情報配信装置に送信されて記憶されるとともに、該記憶された投稿情報のうち、情報共有端末装置から送信される情報配信要求に含まれる検索属性特定情報から特定される検索属性に含まれる機種および／または遊技場を特定可能な投稿属性特定情報が付加されている投稿情報が抽出されて情報共有端末装置に配信されるようになるので、特定の対象である検索属性に含まれる機種および／または遊技場についての投稿情報を容易に共有することができる。
【手続補正４】
【補正対象書類名】明細書
【補正対象項目名】０００７
【補正方法】変更
【補正の内容】
【０００７】
本発明の請求項２に記載の情報共有端末装置は、
遊技者（会員遊技者）が操作可能であるとともに、コンピュータネットワーク（インターネット）に接続可能とされた情報共有端末装置（カードユニット３、携帯電話端末５）であって、
投稿情報（コメントデータ）を入力するための入力手段（ステップＳｋ１６、Ｓｄ１８のコメント入力処理を実施す部分）と、
前記入力手段から入力された投稿情報に、少なくとも該投稿情報に係わる遊技機（パチンコ遊技機１）の機種または遊技場のいずれかを含む投稿属性を特定可能な投稿属性特定情報（タグ情報）を付加する投稿属性特定情報付加手段（ステップＳｋ２２、Ｓｄ２４の投稿データ作成処理を実施する部分）と、
複数の情報端末と前記コンピュータネットワークを介して接続された情報配信装置に対し、該情報配信装置に記憶するために、前記投稿属性特定情報が付加された投稿情報を送信する投稿情報送信手段（ステップＳｋ２３、Ｓｄ２５の投稿要求送信処理を実施する部分）と、
少なくとも遊技機の機種または遊技場のいずれかを含む検索属性を特定可能な検索属性特定情報（タグ情報）を含む情報配信要求（投稿配信要求）を前記情報配信装置に送信する情報配信要求送信手段（ステップＳｋ４、Ｓｄ４を実施する部分）と、
前記情報配信要求の受信に応じて、前記情報配信装置に記憶されている投稿情報（投稿データ）から抽出されて該情報配信装置から送信される、該情報配信要求に含まれる検索属性特定情報から特定される検索属性に含まれる機種および／または遊技場を特定可能な投稿属性特定情報が付加されている投稿情報を受信する投稿情報受信手段（ステップＳｋ５、Ｓｄ５の配信投稿受信処理を実施する部分）と、
前記投稿情報受信手段にて受信した投稿情報を表示する表示手段（ステップＳｋ６、Ｓｄ６の配信投稿表示処理を実施する分部）と、
を備える、
ことを特徴としている。
この特徴によれば、情報共有端末装置において入力された投稿情報は、該投稿情報に係わる投稿属性特定情報が付加されて情報配信装置に送信されて記憶されるとともに、該記憶された投稿情報のうち、情報共有端末装置から送信される情報配信要求に含まれる検索属性特定情報から特定される検索属性に含まれる機種および／または遊技場を特定可能な投稿属性特定情報が付加されている投稿情報が抽出されて情報共有端末装置に配信されるようになるので、特定の対象である検索属性に含まれる機種および／または遊技場についての投稿情報を容易に共有することができる。